(57)【要約】【課題】環境耐性の高い偏光モジュール及び画像表示装置を提供することを目的とする。【解決手段】  偏光板１と、偏光板１上に配置され、偏光板１の偏光軸に対して、光学軸が４５度傾くように配置された複数の第１の１／４波長板２とを含んで偏光モジュール１００を構成する。また、この偏光板上１に配置され、偏光板１の偏光軸に対して、第１の１／４波長板２の光学軸とは反対方向に光学軸が４５度傾くように配置された複数の第２の１／４波長板３を含んで偏光モジュール１００を構成する。さらに、複数の第１及び第２の１／４波長板上に配置され、光学的等方性を有する透明な樹脂板４を含んで偏光モジュール１００を構成する。また、右目用の画像を表示する第１の画素領域と、左目用の画像を表示する第２の画素領域と、を有する表示パネル１０上に、上述の偏光モジュール１００を配置することにより画像表示装置４００を構成する。【選択図】図１
2012252104.tif 000002
【特許請求の範囲】
【請求項１】
偏光板と、
前記偏光板上に配置され、前記偏光板の偏光軸に対して、光学軸が４５度傾くように配置された複数の第１の１／４波長板と、
前記偏光板上に配置され、前記偏光板の偏光軸に対して、前記第１の１／４波長板の前記光学軸とは反対方向に光学軸が４５度傾くように配置された複数の第２の１／４波長板と、
前記複数の第１の１／４波長板及び前記複数の第２の１／４波長板上に配置され、光学的等方性を有する透明な樹脂板と、
を含む
偏光モジュール。
【請求項２】
前記樹脂板は、ＰＭＭＡで形成されている請求項１に記載の偏光モジュール。
【請求項３】
前記複数の第１の１／４波長板及び前記複数の第２の１／４波長板と、前記樹脂板との間に、ポリカーボネートで形成された補強板を備える請求項２に記載の偏光モジュール。
【請求項４】
前記偏光板側の前記樹脂板側とは反対側の表面に取り付けられる表示パネルの画素のピッチの１／２の値をｘ、前記画素の視野角をθ、前記表示パネルの光源を点光源とすると、前記樹脂板の前記第１及び第２の１／４波長板とは反対側の表面から前記点光源までの長さｄは、０．８（ｍｍ）＜ｄ＜ｘｔａｎ（（π−θ）／２）（ｍｍ）を満たす請求項３に記載の偏光モジュール。
【請求項５】
前記複数の第１の１／４波長板及び前記複数の第２の１／４波長板は、一枚の前記偏光板上に配置される請求項４に記載の偏光モジュール。
【請求項６】
右目用の画像を表示する第１の画素領域と、左目用の画像を表示する第２の画素領域と、を有する表示パネルと、
前記表示パネル上に配置され、偏光板と、前記偏光板上に配置され、前記偏光板の偏光軸に対して、光学軸が４５度傾くように配置された複数の第１の１／４波長板と、前記偏光板上に配置され、前記偏光板の偏光軸に対して、前記第１の１／４波長板の前記光学軸とは反対方向に光学軸が４５度傾くように配置された複数の第２の１／４波長板と、前記複数の第１の１／４波長板及び前記複数の第２の１／４波長板上に配置され、光学的等方性を有する透明な樹脂板と、を含み、前記偏光板の前記樹脂板側とは反対側の表面に前記表示パネルが取り付けられ、前記複数の第１の１／４波長板が、前記表示パネルの前記第１の画素領域と対向して配置され、前記複数の第２の１／４波長板が、前記表示パネルの前記第２の画素領域と対向して配置される偏光モジュールと、
を含む
画像表示装置。
【請求項７】
前記画素は、ＬＥＤまたは有機ＥＬ等の自発光素子により構成される請求項６に記載の画像表示装置。
【発明の詳細な説明】
【技術分野】
【０００１】
本技術は、立体画像を表示するための偏光モジュール、及び、これを用いた画像表示装置に関する。
【背景技術】
【０００２】
近年、立体画像を提供する画像表示装置の開発が進められている。こうした画像表示装置では、右目と左目との間の視差に対応した画像がそれぞれ表示される。観察者は、例えばこの右目用の画像からの光を選択透過するフィルタと、左目用の画像からの光を選択透過するフィルタとが、右目用レンズ、及び、左目用レンズにそれぞれ設けられたメガネをかけることで、立体画像を視認することができる。
【０００３】
例えば、右目用の画像及び左目用の画像は、上述のフィルタ等によってどちらか一方を選択可能にするために、偏光方向が互いに異なる光によってそれぞれ表示される（例えば下記特許文献１参照）。
例えば、下記特許文献１では、偏光方向が互いに９０度異なる２種類の直線偏光を用いることにより、右目用の画像と左目用の画像を分けることが開示されている。
【０００４】
すなわち、液晶パネルからの光は、まず偏光板によって直線偏光に変換される。次いで、直線偏光とされた光のうち、例えば右目用の画像の光は、位相差フィルムを透過することにより偏光方向が９０度回転される。一方で、左目用の画像の光は、位相差フィルムを透過しないので、偏光方向は変化しない。これにより、互いに９０度偏光方向が異なる右目用の画像の光と左目用の画像の光とが、観察者に提供される。
また、観察者は、右目用の直線偏光のみを透過する偏光フィルタと、左目用の直線偏光のみを透過する偏光フィルタとが、それぞれ右目用レンズ及び左目用レンズに配置されたメガネをかけることで、立体画像を視認する。
【０００５】
また、下記特許文献２では、この位相差フィルム（波長板フィルタ）を、液晶表示部の画素の１水平ラインおきに、帯状に配置することが開示されている。
【先行技術文献】
【特許文献】
【０００６】
【特許文献１】特開２００４−１０９５２８号公報
【特許文献２】特開２００５−１７３０３３号公報
【発明の概要】
【発明が解決しようとする課題】
【０００７】
このように、立体画像を提供する画像表示装置では、右目用の光と左目用の光とを分けて出射するために、従来の２次元画像表示装置と比べて、例えば上述の偏光板や位相差フィルムのように、新たな部材を設けることが必要である。
こうした部材は、画像表示装置の画像表示面側に配置されるので、周囲環境に対する高い耐性が求められる。
【０００８】
上述のような点を鑑みて、本技術は、環境耐性の高い偏光モジュール及び画像表示装置を提供することを目的とする。
【課題を解決するための手段】
【０００９】
上記課題を解決するために、本技術の偏光モジュールは、偏光板と、偏光板上に配置され、偏光板の偏光軸に対して、光学軸が４５度傾くように配置された複数の第１の１／４波長板を含む。
また、本技術の偏光モジュールは、偏光板上に配置され、偏光板の偏光軸に対して、第１の１／４波長板の光学軸とは反対方向に光学軸が４５度傾くように配置された複数の第２の１／４波長板を含む。
さらに、本技術の偏光モジュールは、複数の第１の１／４波長板及び複数の第２の１／４波長板上に配置され、光学的等方性を有する透明な樹脂板を含む。
【００１０】
また、本技術の画像表示装置は、右目用の画像を表示する第１の画素領域と、左目用の画像を表示する第２の画素領域と、を有する表示パネルと、この表示パネル上に配置された上述の偏光モジュールとを含む。
さらに、このとき、第１の１／４波長板は、表示パネルの第１の画素領域に対向して配置され、第２の１／４波長板は、表示パネルの第２の画素領域に対向して配置される。
【００１１】
本技術の偏光モジュール及び画像表示装置によれば、第１の１／４波長板と第２の１／４波長板とが、光学的等方性を有する透明な樹脂板によって覆われる。このため、右目用及び左目用の偏光に影響を与えることなく、第１の１／４波長板と第２の１／４波長板とを保護することができる。
【発明の効果】
【００１２】
本技術の偏光モジュール及び画像表示装置によれば、環境耐性を向上させることができる。
【図面の簡単な説明】
【００１３】
【図１】図１Ａ、図１Ｂ、図１Ｃは、本技術の第１の実施形態に係る偏光モジュールの構成を示す概略構成図である。
【図２】本技術の第１の実施形態に係る偏光モジュールと表示パネルを示す図である。
【図３】複数の樹脂板を継ぎ合わせて構成した偏光モジュールを示す図である。
【図４】図４Ａ、図４Ｂ、図４Ｃは、第２の実施の形態に係る偏光モジュールの構成を示す図である。
【図５】図５Ａ、図５Ｂ、図５Ｃは、第３の実施の形態に係る偏光モジュールの構成を示す図である。
【図６】第４の実施の形態に係る画像表示装置を示す斜視図である。
【発明を実施するための形態】
【００１４】
以下、本技術を実施するための形態の例を説明するが、本技術は以下の例に限定されるものではない。
説明は以下の順で行う。
１．第１の実施形態（一次元方向に波長板を配列する例）
２．第２の実施形態（二次元方向に波長板を配列する例）
３．第３の実施形態（複合板を形成する例）
４．第４の実施形態（画像表示装置の例）
【００１５】
１．第１の実施形態（一次元方向に波長板を配列する例）
図１Ａ〜図１Ｃは、第１の実施形態に係る偏光モジュール１００の構成を示す概略構成図である。図１Ａは、偏光モジュール１００を、一方の主面に垂直な方向（Ｚ軸方向）から見た図であり、図１Ｂは、偏光モジュール１００をＹ軸方向から見た図である。また、図１Ｃは、偏光モジュール１００をＸ軸方向から見た図である。
【００１６】
本実施形態の偏光モジュール１００は、偏光板１と、偏光板１の一方の主面上に配置された複数の第１の波長板２（第１の１／４波長板）及び第２の波長板３（第２の１／４波長板）と、複数の第１の波長板２及び第２の波長板３上に配置された樹脂板４とを備える。
【００１７】
偏光板１は、所定の偏光方向の光のみを透過させるものであれば、特に限定するものではない。例えば、画像表示装置に用いられる代表的な偏光板は、ヨウ素や二色性色素等の二色性物質を含有し、ポリビニールアルコール（ＰＶＡ）を主成分とする樹脂を一軸延伸したフィルムと、このフィルムの両面に張り合わせた保護膜とによって構成される。本実施形態の偏光板１は、これと同様の構成であってよい。
【００１８】
偏光板１の一方の主面上には、複数の第１の波長板２と複数の第２の波長板３とが配置される。第１の波長板２及び第２の波長板３は、偏光板１に対して接着層５により固着される。この接着層５は、例えば光学接着剤、紫外線硬化樹脂、光学弾性樹脂、光学粘着テープ等によって構成される。
第１の波長板２及び第２の波長板３には、同一の１／４波長板を用いることができる。
ただし、第１の波長板２は、その光学軸が、偏光板１の偏光軸に対して例えば＋４５°傾けて配置されるのに対し、第２の波長板３は、その光学軸が、偏光板１の偏光軸に対して−４５°傾けて配置される。すなわち、第２の波長板３の光学軸は、偏光板１の偏光軸に対し、第１の波長板２の光学軸とは逆方向に４５°傾けて配置される。
したがって、第１の波長板２の表裏をひっくり返して偏光板１上に配置したものが第２の波長板３である。
【００１９】
また、隣り合う第１の波長板２と第２の波長板３との間の隙間は、極力設けないようにすることが好ましい。例えば、ここに隙間が開いていると、樹脂板４と偏光板１の間には空気層が存在することになる。すると、樹脂板４と空気層との界面、及び、空気層と偏光板１との界面において反射が生じやすくなり、反射された光が別の像を形成する（映りこみ）恐れがあるためである。
【００２０】
図１Ａに示すように、第１の波長板２及び第２の波長板３は、それぞれ長方形の主面を有し、その短辺方向に第１の波長板２と第２の波長板３とが交互に配列される。
また、複数の第１の波長板２と第２の波長板３上には、光透過性を有する透明な樹脂板４が配設される。この樹脂板４は、光学的等方性を有していることが好ましい。これにより、第１の波長板２及び第２の波長板３をそれぞれ透過した偏光に影響を与えることなく、第１の波長板２及び第２の波長板３を保護することができる。
光学的等方性を有する樹脂板４の材料としては、例えばポリメチルメタクリレート（ＰＭＭＡ）等が挙げられる。こうした樹脂板４は、例えばガラス板等に比べて軽く、かつ割れにくいので、大画面の表示パネルに偏光モジュール１００を取り付ける場合において特に有効である。
【００２１】
この樹脂板４は、第１の波長板２及び第２の波長板３に対して接着層６により固着される。接着層６には、接着層５と同じものを用いてよい。複数の第１の波長板２及び複数の第２の波長板３上に樹脂板４を配設することにより、偏光モジュール１００の表面を平坦化することができる。
【００２２】
図２に示すように、この偏光モジュール１００は、表示パネル１０の画像表示面側に重ねて取り付けられる。このとき、偏光モジュール１００は、表示パネル１０に対して偏光板１側を重ねて配置される。表示パネル１０から発せられた光は、矢印Ａ１に示すように、偏光モジュール１００を透過して、観察者の目に届く。
表示パネル１０の画像表示面には、例えばＲ（red），Ｇ（green），Ｂ（blue）の３原色の画素１１がマトリクス状に配設されている。この画素１１は、例えば液晶表示画素であってもよいし、大面積の表示画面を構成する場合には、ＬＥＤ（Light Emitting Diode）や有機ＥＬ（Organic Electro-Luminescence）等の自発光素子であってもよい。
【００２３】
また、これらの画素１１のうち、例えば列Ｒ１〜Ｒ４に示す第１の画素領域に配列された画素は、右目用の画像を表示し、また、列Ｌ１〜Ｌ４に示す第２の画素領域に配列された画素は、左目用の画像を表示する。
表示パネル１０上に偏光モジュール１００を重ねることにより、列Ｒ１〜列Ｒ４の第１の画素領域上には、例えば第１の波長板２が配置され、列Ｌ１〜Ｌ４の第２の画素領域上には、例えば第２の波長板３が配置される。
なお、図１Ａ〜図１Ｃ及び図２では、偏光モジュール１００と表示パネル１０とを模式的に表してあり、第１の波長板２、第２の波長板３、画素１１等の各種構成部材のサイズ、配置数等は適宜変更される。
【００２４】
列Ｒ１〜Ｒ４の第１の画素領域に配置された画素から発せられた光は、偏光モジュール１００の偏光板１を透過することにより直線偏光となり、その後、その直線偏光は第１の波長板２に入射する。第１の波長板２の光学軸は、偏光板１の偏光軸に対して４５°傾いているので、第１の波長板２を透過した光は、円偏光となる。
【００２５】
また、列Ｌ１〜Ｌ４の第２の画素領域に配置された画素から発せられた光は、偏光板１を透過することにより直線偏光となり、その後、その直線偏光は第２の波長板３に入射する。第２の波長板３の光学軸は、偏光板１の偏光軸に対して、第１の波長板２の光学軸とは逆方向に４５°傾いているので、第２の波長板３を透過した光は、第１の波長板２を透過した光とは回転方向が逆の円偏光となる。
【００２６】
このように、列Ｒ１〜Ｒ４の第１の画素領域に配置された画素から発せられた光と、列Ｌ１〜Ｌ４の第２の画素領域に配置された画素から発せられた光とは、偏光モジュール１００を透過することにより、回転方向が互いに逆の円偏光となる。
観察者は、列Ｌ１〜Ｌ４の画素領域からの円偏光を透過する円偏光フィルタが左目用レンズに対して配置され、列Ｒ１〜Ｒ４の画素領域からの円偏光を透過する円偏光フィルタが右目用レンズに対して配置されたメガネをかけることにより、立体画像を視認できる。
【００２７】
従来、例えば画素がＬＥＤによって構成されるような、大画面の表示装置に立体画像を表示させる場合には、ＬＥＤの配置に合わせて網目状に形成した金属枠または樹脂枠等に１／４波長板を一つずつ貼り合わせていた。このため、金属枠または樹脂枠に貼り付けられた複数の偏光板を同一平面上に配列するのが困難であり、表示装置表面の平面性の確保に難点があった。
これに対して、本実施形態では、複数の第１の波長板２及び第３の波長板３上を一枚の樹脂板４により覆っているため、偏光モジュール１００の表面を平坦化することが可能となる。
【００２８】
また、樹脂板４の表面には、例えば反射防止膜、紫外線カット膜、ハードコート膜等の機能性膜を形成してもよい。なお、反射防止膜は、偏光板１の樹脂板４とは反対側の主面に設けることが好ましい。例えば、偏光モジュール１００を表示パネル等に取り付けた際には、偏光板１と表示パネルとの間にエアギャップが生じる。すると、偏光板１と空気との界面において反射が生じやすくなるため、上述の位置に反射防止膜を設けることが望ましい。なお、上述のエアギャップを光学接着剤によって埋める場合には、反射防止膜を設けなくてもよい。
また、樹脂板４の成型時において、予め微細な凹凸形状を樹脂板４の表面に形成することにより防眩処理を施してもよい。
樹脂板４を偏光モジュール１００の表面に設けることによって、上述のような各種表面加工を容易に施すことが可能となる。特に、紫外線カット機能を樹脂板４に付与することで、比較的紫外線に弱い第１の波長板２及び第２の波長板３（１／４波長板）を保護することができるので好ましい。また、樹脂板４内に紫外線カット剤を含有させることも可能である。
【００２９】
また、大画面の表示パネル用に偏光モジュールを構成する場合には、複数枚の樹脂板を継ぎ合わせてもよい。図３は、複数枚の樹脂板４ａを継ぎ合わせることにより構成した偏光モジュール１１０の概略構成図である。
図３に示すように、画素のピッチをｐ、表示パネルの光源を点光源７とし、その視野角をθとすると、樹脂板４ａの第１及び第２の波長板２ａ，２ｂとは反対側の表面から点光源７までの長さｄは下記式１を満たすことが好ましい。
０．８（ｍｍ）＜ｄ＜Ｘｔａｎ（（π−θ）／２）（ｍｍ）      ・・・（１）
（Ｘ＝ｐ／２）
【００３０】
樹脂板４の厚さｄがｘｔａｎ（（π−θ）／２）以上になると、視野角θ内における画素（点光源７）からの光が樹脂板４の継ぎ目８に入射する恐れがある。
継ぎ目８に入射した光が継ぎ目８によって散乱または反射されると、継ぎ目８に入射する直前の光の進行方向からは、画像を視認することが困難となる。このため、樹脂板４の厚さｄは、ｘｔａｎ（（π−θ）／２）より薄くすることが好ましい。
【００３１】
また、樹脂板４の厚さを薄くしすぎると、樹脂板４はフィルム状となり硬度が不足する。このため、第１の波長板２及び第２波長板３上に樹脂板４を配置しても、偏光モジュール１００の平面性及び強度を確保することが困難となる。したがって、樹脂板４の厚さは、少なくとも０．８ｍｍよりも厚くすることが好ましい。
【００３２】
また、本実施形態の偏光モジュール１００では、図１Ａ〜図１Ｃに示すように、全ての第１の波長板２と第２の波長板３とが、一枚の偏光板１上に配置される。
例えば、複数の第１の波長板及び第２の波長板に対して、第１の波長板及び第２の波長板と同じ形状の複数の偏光板を一つずつ貼り合わせると、偏光板のエッジ部の面積の合計は大きくなる。このため偏光板のエッジ部からの劣化が生じやすくなる。
例えば、一般的な偏光板を構成する樹脂材料の一つにポリビニルアルコールがあるが、ポリビニルアルコールは親水性が非常に強い。このため、偏光板のエッジ部の面積の合計が大きいと、例えば周囲の湿度が高い場合には、偏光板のエッジ部からビニルアルコールが水滴等に溶出し、偏光板が劣化する恐れがある。
【００３３】
これに対し、本実施形態の偏光モジュール１００では、全ての第１の波長板２及び第２の波長板３が一枚の偏光板１上に配置されている。これにより、偏光板１のエッジ部の面積を小さくすることができるので、エッジ部から例えばポリビニルアルコール等の水溶性成分が水分に対し溶出することを抑制できる。このため、湿気に対する耐性を高めることが可能である。
【００３４】
また、一枚の偏光板１によって偏光モジュール１００を構成することにより、偏光モジュール１００の表面を平坦化することが可能であり、また、偏光モジュール１００の機械的強度を向上させることができる。
【００３５】
２．第２の実施形態（二次元方向に波長板を配列する例）
波長板の外形や配置パターンは、表示パネルの右目用の画素及び左目用の画素の配列に対応して、適宜変更してよい。
例えば、ここでは、第１の波長板及び第２の波長板をマトリクス状（市松模様状）に配置する場合について説明する。
【００３６】
図４Ａ〜図４Ｃは、第２の実施形態に係る偏光モジュール２００の構成を示す概略構成図である。図４Ａは、偏光モジュール２００を、一方の主面に垂直な方向（Ｚ軸方向）から見た図であり、図４Ｂは、偏光モジュール２００をＹ軸方向から見た図である。また、図４Ｃは、偏光モジュール２００をＸ軸方向から見た図である。
なお、第１の実施形態（図１参照）と対応する部位には同一符号を付し、重複した説明を避ける。
【００３７】
本実施形態の偏光モジュール２００は、一枚の偏光板１と、第１の波長板２ａと、第２の波長板３ａと、樹脂板４とを備える。これらの構成、及びこれらを接着する接着層５，６の構成は、基本的に第１の実施形態において示した偏光板１、第１の波長板２、第２の波長板３、樹脂板４とそれぞれ同様であってよい。ただし、本実施形態では、第１の波長板２ａ及び第２の波長板３ａの外形と、第１の波長板ａ２及び第２の波長板３ａの配列とが第１の実施形態のそれらと異なる。
例えば、第１の波長板２ａ及び第２の波長板３ａは、光の出射方向（Ｚ軸方向）から見た外形が正方形とされている。また、第１の波長板２ａと第２の波長板３ａとは、偏光板１の面内方向において、互いに直交する二軸方向（図４中Ｘ軸方向及びＹ軸方向）に交互に配置される。
【００３８】
このような偏光モジュール２００は、左目用の画像を表示する画素領域と、右目用の画像を表示する画素領域とが、第１の波長板２ａ及び第２の波長板３ａと同様に市松模様状に配列された表示パネルに取り付けられる。一つの第１の波長板２ａ及び第２の波長板３ａのそれぞれに対して、何個の画素を割り当てるかは、適宜設定してよい。また、表示パネルのそれぞれの画素領域の大きさに応じて、第１の波長板２ａ及び第２の波長板３ａのサイズが決定される。
【００３９】
本実施形態の偏光モジュール２００においても、全ての第１の波長板２ａと第２の波長板３ａとが一枚の偏光板１上に配置される。これにより、偏光板１のエッジ部の面積を小さくすることができるので、偏光モジュール２００の耐湿性能を向上させることができる。
また、その他の効果についても、第１の実施の形態と同様である。
【００４０】
３．第３の実施形態（複合板を形成する例）
図５Ａ〜図５Ｃは、第３の実施形態に係る偏光モジュール３００の構成を示す概略構成図である。図５Ａは、偏光モジュール３００を、一方の主面に垂直な方向（Ｚ軸方向）から見た図であり、図５Ｂは、偏光モジュール３００をＹ軸方向から見た図である。また、図５Ｃは、偏光モジュール３００をＸ軸方向から見た図である。
なお、第１の実施形態（図１参照）と対応する部位には同一符号を付し、重複した説明を避ける。
【００４１】
本実施形態の偏光モジュール３００は、樹脂板４上にポリカーボネートで形成された補強板９を配設しているところが第１の実施の形態（図１参照）と異なる。その他の構成については、第１の実施の形態と同様である。
【００４２】
例えば、屋外の表示パネルに対して偏光モジュールを取り付ける場合等には、偏光モジュールができるだけ高い耐衝撃性を有していることが望ましい。本実施形態のように、樹脂板４上にポリカーボネートからなる補強板９を配設し、複数種の板による複合板を形成することで、偏光モジュール３００の耐衝撃性を向上させることができる。
【００４３】
ただし、補強板９は、樹脂板４に対して表示パネルからの光の入射側、すなわち、第１の波長板２及び第２の波長板３と、樹脂板４との間に配置される。
例えば、樹脂板４に対して表示パネルからの光の出射側に補強板９を配置すると、樹脂板４及び補強板９の複合板には異方性が生じ、透過する光の偏光方向に影響を及ぼしてしまう。これに対して、第１の波長板２及び第２の波長板３と、樹脂板４との間に補強板９を配置した場合には、樹脂板４及び補強板９の複合板に等方性を確保することが可能であり、透過する光の偏光方向に影響を与えるのを抑制することができる。
なお、補強板９は、例えば光学接着剤、紫外線硬化樹脂、光学弾性樹脂、光学粘着テープ等によって樹脂板４、第１の波長板２及び第２の波長板３に固着される。
【００４４】
本実施形態の偏光モジュール３００のその他の構成による効果は、第１の実施形態と同じである。
また、第２の実施の形態（図４参照）においても、第１の波長板２及び第２の波長板３と、樹脂板４との間に補強板９を配置することで、本実施形態と同じ効果を得ることが可能である。
【００４５】
４．第４の実施形態（画像表示装置の例）
図６は、第４の実施形態に係る画像表示装置４００を示す斜視図である。本実施形態の画像表示装置４００には、その画像表示部３１上に、偏光モジュール３２が配設されている。
画像表示部３１は、例えば第１の実施の形態において示した表示パネル１０（図２参照）によって構成される。例えば、画像表示部３１では、複数の走査線と、走査線に直交する方向に配設される複数の信号線の交差毎に一つの画素エリアが割り当てられる。また、一つの画素毎に、画素を駆動する例えば半導体装置が配設される。
【００４６】
例えば走査線は、図示しない走査線駆動回路に接続され、走査線駆動回路からのパルス電圧によって半導体装置をオン状態にする。
半導体装置がオン状態になると、輝度情報に応じた映像信号が、信号駆動回路から発光素子に供給される。発光素子が、この映像信号の電流値に応じた輝度で発光することにより、画像が表示される。
また、表示パネル１０の右目用の画像を表示する画素領域及び左目用の画像を表示する画素領域における発光素子には、それぞれ右目用の画像及び左目用の画像に対応した映像信号が信号駆動回路より供給される。
【００４７】
偏光モジュール３２には、例えば第１〜第３の実施形態（図１，図４，図５参照）において示した偏光モジュール１００，２００，３００のいずれかが用いられる。
【００４８】
偏光モジュール１００，２００，３００は、既述のように、第１の波長板２及び第２の波長板３上に一枚の樹脂板４を配置しているので、表面の平面性が確保されるとともに、第１の波長板２及び第２の波長板３を保護することができる。本実施形態の画像表示装置４００では、こうした偏光モジュール１００，２００，３００のいずれかを用いているので、環境耐性を向上させることが可能であり、高品質な立体画像を提供することができる。
【００４９】
以上、偏光モジュール及び画像表示装置の実施形態について説明した。本技術は上記実施形態にとらわれることなく、特許請求の範囲に記載した本技術の要旨を逸脱しない限りにおいて、考えられる種々の形態を含むものである。
【００５０】
また、本技術は、以下のような構成を取ることもできる。
（１）
偏光板と、
前記偏光板上に配置され、前記偏光板の偏光軸に対して、光学軸が４５度傾くように配置された複数の第１の１／４波長板と、
前記偏光板上に配置され、前記偏光板の偏光軸に対して、前記第１の１／４波長板の前記光学軸とは反対方向に光学軸が４５度傾くように配置された複数の第２の１／４波長板と、
前記複数の第２の１／４波長板上に配置され、光学的等方性を有する透明な樹脂板と、
を含む
偏光モジュール。
（２）
前記樹脂板は、ＰＭＭＡで形成されている
（１）に記載の偏光モジュール。
（３）
前記複数の第１の１／４波長板及び前記複数の第２の１／４波長板と、前記樹脂板との間に、ポリカーボネートで形成した補強板を備える
（１）または（２）に記載の偏光モジュール。
（４）
前記偏光板側の前記樹脂板側とは反対側の表面に取り付けられる表示パネルの画素のピッチの１／２の値をｘ、前記画素の視野角をθ、前記表示パネルの光源を点光源とすると、前記樹脂板の前記第１及び第２の１／４波長板とは反対側の表面から前記点光源までの長さｄは、０．８（ｍｍ）＜ｄ＜ｘｔａｎ（（π−θ）／２）（ｍｍ）を満たす
（１）〜（３）に記載の偏光モジュール。
（５）
前記複数の第１の１／４波長板及び前記複数の第２の１／４波長板は、一枚の前記偏光板上に配置される（１）〜（４）に記載の偏光モジュール。
（６）
右目用の画像を表示する第１の画素領域と、左目用の画像を表示する第２の画素領域と、を有する表示パネルと、
前記表示パネル上に配置され、偏光板と、前記偏光板上に配置され、前記偏光板の偏光軸に対して、光学軸が４５度傾くように配置された複数の第１の１／４波長板と、前記偏光板上に配置され、前記偏光板の偏光軸に対して、前記第１の１／４波長板の前記光学軸とは反対方向に光学軸が４５度傾くように配置された複数の第２の１／４波長板と、前記複数の第１の１／４波長板及び前記複数の第２の１／４波長板上に配置され、光学的等方性を有する透明な樹脂板と、を含み、前記偏光板の前記樹脂板側とは反対側の表面に前記表示パネルが取り付けられ、前記複数の第１の１／４波長板が、前記表示パネルの前記第１の画素領域と対向して配置され、前記複数の第２の１／４波長板が、前記表示パネルの前記第２の画素領域と対向して配置される偏光モジュールと、
を含む
画像表示装置。
（７）
前記画素は、ＬＥＤまたは有機ＥＬ等の自発光素子により構成される（６）に記載の画像表示装置。
【符号の説明】
【００５１】
１・・・偏光板、２，２ａ・・・第１の波長板、３，３ａ・・・第２の波長板、４・・・樹脂板、５・・・接着層、６・・・接着層、７・・・画素、８・・・継ぎ目、９・・・補強板、１０・・・表示パネル、１１・・・画素、３１・・・画像表示部、３２，１００，２００，３００・・・偏光モジュール、４００・・・画像表示装置
【図１】
2012252104.tif 000003
【図２】
2012252104.tif 000004
【図３】
2012252104.tif 000005
【図４】
2012252104.tif 000006
【図５】
2012252104.tif 000007
【図６】
2012252104.tif 000008